(57)【要約】【課題】金属製のインキ収容筒を具備したボールペンレフィルを簡単な構造で提供する。【解決手段】本発明は、金属製のインキ収容筒の先端部内に、金属製のチップホルダーの後端部を圧入装着し、前記チップホルダーの先端部内に、ボールを回転自在に抱持した金属製のボールペンチップの後端部を圧入装着してなるボールペンレフィルであって、前記チップホルダーは、前記インキ収容筒の肉厚よりも厚い肉厚部と、前記肉厚部よりも薄肉の後端圧入部と、前記後端圧入部よりも薄肉の先端圧入部を有し、前記チップホルダーが、先端に向かって順次、外径を小径にするとともに、前記インキ収容筒と前記チップホルダーの外壁を略面一状に連接し、且つ前記チップホルダーと前記ボールペンチップの外壁を略面一状に連接していることを特徴とする。【選択図】図２
2011218579.tif 000002
【特許請求の範囲】
【請求項１】
金属製のインキ収容筒の先端部内に、金属製のチップホルダーの後端部を圧入装着し、前記チップホルダーの先端部内に、ボールを回転自在に抱持した金属製のボールペンチップの後端部を圧入装着してなるボールペンレフィルであって、前記チップホルダーは、前記インキ収容筒の肉厚よりも厚い肉厚部と、前記肉厚部よりも薄肉の後端圧入部と、前記後端圧入部よりも薄肉の先端圧入部を有し、前記チップホルダーが、先端に向かって順次、外径を小径にするとともに、前記インキ収容筒と前記チップホルダーの外壁を略面一状に連接し、且つ前記チップホルダーと前記ボールペンチップの外壁を略面一状に連接していることを特徴とするボールペンレフィル。
【請求項２】
前記チップホルダーに、前記ボールペンチップ圧入部から軸心に沿って伸びる、前記ボールペンチップと略同長さの軸部を有することを特徴とする請求項１に記載のボールペンレフィル。
【発明の詳細な説明】
【技術分野】
【０００１】
本発明は、ボールを回転自在に抱持したボールペンチップを具備した金属製のボールペンレフィルに関する。
【背景技術】
【０００２】
従来から、ボールペンレフィルとして、インキの蒸発防止や高級感等を得るために金属で形成した金属製のインキ収容筒を具備したボールペンレフィルはよく知られている。
【０００３】
こうしたボールペンレフィルとしては、実開平３−１０１６８７号「筆記具」等、ボールを回転自在に抱持したボールペンチップの後端部を圧入嵌合する小径部と、インキを収容する大径部とを絞り加工等の塑性変形によって、一体に形成している。
【先行技術文献】
【特許文献】
【０００４】
【特許文献１】実開平３−１０１６８７号公報
【発明の開示】
【発明が解決しようとする課題】
【０００５】
しかし、金属製のインキ収容筒は、絞り加工等の塑性変形は、加工が困難である上に、塑性変形部に加わる応力も高く、塑性変形部にひび割れ等が発生する恐れがあった。
【０００６】
こうした問題を鑑みて、インキ収容筒の肉厚を厚くすることが考えられるが、インキ収容筒全体の重量が重くなり、材料費も高騰するとともに、金属製のボールペンチップとの圧入装着部の肉厚も厚くなるため、圧入し難く、且つ嵌合不足によるインキ漏れが発生する恐れがある等の新たな問題が発生する。
【０００７】
また、インキ収容筒の先端部に、樹脂製のチップホルダーを介して、ボールペンチップを装着する構造も考えられるが、樹脂製のチップホルダーは、金属に比べ、インキの蒸発抑制が低下するとともに、外力によって撓みや曲がりが発生し易い等の問題あった。
【０００８】
本発明の目的は、金属製のインキ収容筒を具備したボールペンレフィルを簡単な構造で提供することにある。
【課題を解決するための手段】
【０００９】
上記目的を達成するために、本発明は、金属製のインキ収容筒の先端部内に、金属製のチップホルダーの後端部を圧入装着し、前記チップホルダーの先端部内に、ボールを回転自在に抱持した金属製のボールペンチップの後端部を圧入装着してなるボールペンレフィルであって、前記チップホルダーは、前記インキ収容筒の肉厚よりも厚い肉厚部と、前記肉厚部よりも薄肉の後端圧入部と、前記後端圧入部よりも薄肉の先端圧入部を有し、前記チップホルダーが、先端に向かって順次、外径を小径にするとともに、前記インキ収容筒と前記チップホルダーの外壁を略面一状に連接し、且つ前記チップホルダーと前記ボールペンチップの外壁を略面一状に連接していることを特徴とする。
【００１０】
また、前記チップホルダーに、前記チップホルダーの先端面から後端方向に向かって、前記ボールペンチップのチップホルダーからの外部への突出長さと略同長さの軸部を有することを特徴とする。
【００１１】
本願発明の請求項１の構成によれば、ボールペンレフィルは、少なくとも金属製のインキ収容筒、金属製のチップホルダー、金属製のボールペンチップとから構成されているため、経時によるインキ蒸発を抑制し、重厚感を得ることができる。
【００１２】
また、チップホルダーが、前記チップホルダーは、前記インキ収容筒の肉厚よりも厚い肉厚部と、前記肉厚部よりも薄肉の後端圧入部と、前記後端圧入部よりも薄肉の先端圧入部を有することで、塑性変形部の肉厚が厚く、耐久性を高め、圧入し易い効果を奏する。
【００１３】
また、前記チップホルダーが、先端に向かって順次、外径を小径にするとともに、前記インキ収容筒と前記チップホルダーの外壁を略面一状に連接し、且つ前記チップホルダーと前記ボールペンチップの外壁を略面一状に連接しているため、少なくとも外径管理を組立後に、容易に確認することができる。
【００１４】
また、本願発明の請求項２の構成によれば、前記チップホルダーに、前記チップホルダーの先端面から後端方向に向かって、前記ボールペンチップの最大外径と略同径及び、チップホルダーからの外部への突出長さと略同長さの軸部を有することにより、ボールペンとして用いる場合、口金等の先端部の内径に影響を受け難く、口金等の形状の自由度が増すことができる。また、金属製の軸部を設けることで、組立時等による外力による撓みや曲がりが発生し難い効果を奏する。
【００１５】
尚、本発明のボールペンチップ、チップホルダー、インキ収容筒は、ステンレス、アルミニウム、黄銅等の金属製を用いるが、少なくともチップホルダーとインキ収容筒を同材料とすることが最も好ましい。
【発明の効果】
【００１６】
本発明は、金属製のインキ収容筒を具備したボールペンレフィルを簡単な構造で提供することができた。
【図面の簡単な説明】
【００１７】
【図１】実施例１のボールペンレフィルを示す、一部省略した縦断面図である。
【図２】図１における一部省略した要部拡大断面図である。
【図３】実施例１のボールペンレフィルを収容したノック式ボールペンを示す縦断面図である。
【発明を実施するための最良の形態】
【００１８】
次に図面を参照しながら、本発明のボールペンの実施形態を説明するが、本発明は以下の実施形態に限定されるものではない。
【００１９】
実施例１
図１、図２に示す実施例１のボールペンレフィル１は、黄銅製のインキ収容筒２の先端部２ａ内に、黄銅製のチップホルダー３の後端圧入部３ｂを圧入装着し、チップホルダー３の先端圧入部３ａに、ボールを回転自在に抱持した黄銅製のボールペンチップ４の後端部４ａを圧入装着してボールペンレフィル１を得ている。尚、インキ収容筒２の後端部には、尾栓５を装着し、インキ収容筒２内には、図示はしてないが、ボールペンインキ及びインキ追従体を直に収容している。
【００２０】
また、チップホルダー３は、インキ収容筒２の肉厚Ｋよりも厚い肉厚Ｌからなり、後端部に、肉厚Ｌよりも薄肉の肉厚Ｍの後端圧入部３ｂと、先端部に、後端圧入部３ｂの肉厚Ｍよりも薄肉の肉厚Ｎの先端圧入部３ａを有する。また、チップホルダー３は、先端方向に向かって順次、外径を小径にしてあり、インキ収容筒２とチップホルダー３の外壁を略面一状に連接し、チップホルダー３とボールペンチップ４の外壁を略面一状に連接してある。
【００２１】
また、チップホルダー３には、チップホルダー３の先端面３ｂから後端方向に向かって、ボールペンチップ４のチップホルダー３からの突出長さＰと略同長さＱの軸部３ｃを形成してある。
【００２２】
図３に、実施例１のボールペンレフィルを収容したノック式ボールペン１１を示す。具体的には、ノック式ボールペン１１は、前軸１２と後軸１３を螺着して得た軸筒本体内に収容したボールペンレフィル１を、コイルスプリング１５によって、後軸１３の後端方向に向かって、摺動自在に付勢して収容してあり、後軸１３に配設したノック体１８を押圧することによって、回転カム１６、押し棒１７からなる従来から知られている回転カムによる出没機構を作動させ、ボールペンチップ４の先端部を、前軸１２の先端部に螺着した口金１４の開口部１４ａから出没可能としてある。
【００２３】
本発明のボールペンレフィル１は、ボールペンチップ４のチップホルダー３からの突出長さＰと略同長さＱの軸部を形成してあるため、出没時において、ボールペンレフィル１が口金１４及び前軸１２内を摺動しても、口金１４及び前軸１２の内壁に当接し難く、スムーズな出没作動を得ることができる。
【産業上の利用可能性】
【００２４】
本発明のボールペンレフィルは、インキの種類に限定されることなく、ボールペンとして広く実施可能である。
【符号の説明】
【００２５】
１  ボールペンレフィル
２  インキ収容筒
３  チップホルダー
３ａ  チップ先端縁
４  ボールペンチップ
５  尾栓
１１  ノック式ボールペン
１２  前軸
１３  後軸
１４  口金
１５  コイルスプリング
１６  回転カム
１７  押し棒
１８  ノック体
Ｋ  インキ収容筒の肉厚
Ｌ  チップホルダーの肉厚
Ｍ  後端圧入部の肉厚
Ｎ  先端圧入部の肉厚
【図１】
2011218579.tif 000003
【図２】
2011218579.tif 000004
【図３】
2011218579.tif 000005